(57)【特許請求の範囲】
【請求項１】
光透過性を有する基材に複数の両面受光セルを配置した両面受光型太陽電池モジュールを横葺き式の屋根材として敷設する設置構造において、
前記両面受光型太陽電池モジュールは、隣り合う両面受光セル間の配設間隔に両面受光セルが存在しない透光領域が形成され、両面受光セルが存在する発電領域が前記透光領域にて略島状に分断され、
水下側、水上側の両面受光型太陽電池モジュールが載置可能な支持部及び溝状部を有する横桟は、その端縁が流れ方向に沿うように配設される排水部材に臨むように取り付けられると共に、所定間隔で配設され、少なくとも前記横桟間に反射材又は反射部が配設され、その上方を覆うように両面受光型太陽電池モジュールが配設されており、
前記両面受光型太陽電池モジュールの裏面側に配した太陽光を反射する反射材又は反射部により、透光領域を透過させた太陽光を反射材又は反射部にて反射させて両面受光セルの裏面側に照射させることを特徴とする両面受光型太陽電池モジュールの設置構造。
【請求項２】
光透過性を有する基材に複数の両面受光セルを配置した両面受光型太陽電池モジュールを縦葺き式の屋根材として敷設する設置構造において、
前記両面受光型太陽電池モジュールは、隣り合うする両面受光セル間の配設間隔に両面受光セルが存在しない透光領域が形成され、両面受光セルが存在する発電領域が前記透光領域にて略島状に分断され、
左側、右側の両面受光型太陽電池モジュールが載置可能な支持部を有する縦桟とドレンガイドが一体状に組み付けられると共に、所定間隔で配設され、少なくとも前記縦桟間に反射材又は反射部が配設され、その上方を覆うように両面受光型太陽電池モジュールが配設されており、
前記両面受光型太陽電池モジュールの裏面側に配した太陽光を反射する反射材又は反射部により、透光領域を透過させた太陽光を反射材又は反射部にて反射させて両面受光セルの裏面側に照射させることを特徴とする両面受光型太陽電池モジュールの設置構造。
【発明の詳細な説明】
【技術分野】
【０００１】
本発明は、両面受光型の太陽電池モジュールを、各種の制限を受けることなく、屋根面等の外装面に敷設することができる両面受光型太陽電池モジュールの設置構造に関する。
【背景技術】
【０００２】
近年、社会に多大な影響をもたらす地球温暖化の緩和を目的として、その原因である温室効果ガスのうち、大きな割合を占める二酸化炭素（ＣＯ2）の排出が少ない社会（低炭素社会）を構築するため、従来の石油や石炭等の資源に依存するエネルギーに代え、太陽光を用いた再生可能エネルギーを普及するという社会的気運の高まりがある。また、政府や自治体が、積極的に太陽電池モジュールを導入する需要に対し、補助を行ったり、余剰の電力を電力会社が買い取る機構もまた構築されている。
【０００３】
これらの気運やニーズに鑑み、大規模な太陽電池施設や既存の建築部或いは新設の建築物への太陽電池の設置が積極的に進められている。一方、太陽電池は太陽光を受光することで発電するため、設置面積は勿論のこと、太陽電池セルの発電効率、太陽光の照射時間、太陽に対する角度等が発電量に大きく影響するものである。そのような中で、より高効率な太陽電池セルの開発、太陽の動きに合わせて角度や向きを換える機構の研究がなされている。前者の中にあっては、セルの両面で受光する両面型太陽電池セルが開発され、モジュール化したものを例えば道路等の防護壁やフェンス等、建築物屋上の手すり、看板等に垂直設置して利用されている。
【発明の概要】
【発明が解決しようとする課題】
【０００４】
前記両面受光型太陽電池モジュールの垂直設置は、太陽が照射する時間に表裏のどちらかで受光し続け（例えば午前中は表面、午後は裏面）、太陽光の照射時間を長くすることで一定に受光量を得ようとするものである。しかし、このような垂直設置は、太陽が移動しても表面もしくは裏面で受光させるため、垂直壁周辺に日射を遮るものがない環境や方角に制限を受け、設置可能な場所は限られるものである。また、一方の面にしか太陽光が照射しない場所への設置はその受光量を得ることができないものであり、照射時間の限られる環境や場所への設置は難しく用途としては極めて限られるものであった。
【０００５】
そこで、本発明は、両面受光型の太陽電池モジュールを、前述の各種の制限を受けることなく、適宜に外装面に敷設することができる両面受光型太陽電池モジュールの設置構造を提案することを目的とする。
【課題を解決するための手段】
【０００６】
本発明は、上記に鑑み提案されたもので、光透過性を有する基材に複数の両面受光セルを配置した両面受光型太陽電池モジュールを横葺き式の屋根材として敷設する設置構造において、前記両面受光型太陽電池モジュールは、隣り合う両面受光セル間の配設間隔に両面受光セルが存在しない透光領域が形成され、両面受光セルが存在する発電領域が前記透光領域にて略島状に分断され、水下側、水上側の両面受光型太陽電池モジュールが載置可能な支持部及び溝状部を有する横桟は、その端縁が流れ方向に沿うように配設される排水部材に臨むように取り付けられると共に、所定間隔で配設され、少なくとも前記横桟間に反射材又は反射部が配設され、その上方を覆うように両面受光型太陽電池モジュールが配設されており、前記両面受光型太陽電池モジュールの裏面側に配した太陽光を反射する反射材又は反射部により、透光領域を透過させた太陽光を反射材又は反射部にて反射させて両面受光セルの裏面側に照射させることを特徴とする両面受光型太陽電池モジュールの設置構造に関するものである。
【０００７】
また、本発明は、光透過性を有する基材に複数の両面受光セルを配置した両面受光型太陽電池モジュールを縦葺き式の屋根材として敷設する設置構造において、前記両面受光型太陽電池モジュールは、隣り合うする両面受光セル間の配設間隔に両面受光セルが存在しない透光領域が形成され、両面受光セルが存在する発電領域が前記透光領域にて略島状に分断され、左側、右側の両面受光型太陽電池モジュールが載置可能な支持部を有する縦桟とドレンガイドが一体状に組み付けられると共に、所定間隔で配設され、少なくとも前記縦桟間に反射材又は反射部が配設され、その上方を覆うように両面受光型太陽電池モジュールが配設されており、前記両面受光型太陽電池モジュールの裏面側に配した太陽光を反射する反射材又は反射部により、透光領域を透過させた太陽光を反射材又は反射部にて反射させて両面受光セルの裏面側に照射させることを特徴とする両面受光型太陽電池モジュールの設置構造をも提案するものである。
【発明の効果】
【００１０】
本発明の両面受光型太陽電池モジュールの設置構造は、両面受光セルが存在する発電領域と、各両面受光セルの周囲及び隣接する両面受光セルの配設間隔に形成される透光領域と、で構成される両面受光型太陽電池モジュールの裏面側に、反射材又は反射部を配設してなる構成であって、透光領域を透過させた太陽光を、反射材又は反射部にて反射させて両面受光セルの裏面側に照射させることができる。そのため、両面受光セルの表裏を効果的に発電に利用することができ、特に屋根面等の裏面側に太陽光を遮蔽するものが存在する場所でも支障なく、片面受光型セルを配した通常の太陽電池モジュールの設置面積と同じ設置面積で、より大きな発電量を期待できるものである。
また、本発明の設置構造では、反射材又は反射部による太陽光の反射を利用するので、設置場所等も限定されることがなく、中小規模の建築物や一般住宅等のように太陽光の照射時間に制限を受けたり、設置箇所の向きが限定されるような建築物にも適用できる。
さらに、下地面の全面に金属等の反射材を配設した場合には、反射材又は反射部としての加工性が容易になり、コストが低減されると共に、下地面上を金属で全面的に覆うことになるため防火性能にも優れる構造となる。
【００１１】
また、流れ方向に所定間隔で横桟を配設し、少なくとも横桟間に反射材又は反射部が配設され、その上方を覆うように両面受光型太陽電池モジュールが配設した設置構造では、左右方向に長尺な両面受光型太陽電池モジュールを効果的に配設することができる。そして、例えば本願出願人等がこれまで提案した殆どの片面受光型の太陽電池モジュールを用いた横葺き形式の設置構造又は接続構造において、太陽電池モジュールとして、本発明における横長の両面受光型太陽電池モジュールを用いると共に、裏面側に反射材又は反射部を配設すればよく、前述の効果を付加することができる。
さらに、横桟には、上下段に溝状部を設けたので、仮に両面受光型モジュールの裏面側に雨水が回り込むことがあったとしても横桟の溝状部から排水部材の排水部へ導いて水下側へ流下させることができる。
【００１２】
また、左右方向に所定間隔で縦桟を配設し、少なくとも縦桟間に反射材又は反射部が配設され、その上方を覆うように両面受光型太陽電池モジュールが配設した設置構造では、流れ方向に長尺な両面受光型太陽電池モジュールを効果的に配設することができる。そして、例えば本願出願人等がこれまで提案した殆どの片面受光型の太陽電池モジュールを用いた縦葺き形式の設置構造又は接続構造において、太陽電池モジュールとして、本発明における縦長の両面受光型太陽電池モジュールを用いると共に、裏面側に反射材又は反射部を配設すればよく、前述の効果を付加することができる。
さらに、縦桟は、仮にその左右の接続部分からの浸水があったとしても、或いは流れ方向の接続部分からの浸水があったとしてもドレンガイドの排水部にて流下させることができる。
【図面の簡単な説明】
【００１３】
【図１】（ａ）第１実施例の両面受光型太陽電池モジュールの設置構造を示すために、意図的に構成部材を欠載して示した斜視図、（ｂ）その要部を示す側断面図である。
【図２】（ａ）第２実施例の両面受光型太陽電池モジュールの設置構造を示すために、意図的に構成部材を欠載して示した斜視図、（ｂ）その要部を示す側断面図である。
【図３】（ａ）第３実施例の太陽電池モジュールの設置構造の要部を示す側断面図、（ｂ）第４実施例の太陽電池モジュールの設置構造の要部を示す側断面図である。
【図４】（ａ）第５実施例の両面受光型太陽電池モジュールの設置構造を示すために、意図的に構成部材を欠載して示した斜視図、（ｂ）その要部を示す側断面図である。
【図５】（ａ）第６実施例の両面受光型太陽電池モジュールの設置構造を示すために、意図的に構成部材を欠載して示した斜視図、（ｂ）その要部を示す側断面図である。
【図６】（ａ）折板屋根に本発明を適用した第７実施例の両面受光型太陽電池モジュールの設置構造を示す側断面図、（ｂ）その正断面図である。
【図７】（ａ）折板屋根に本発明を適用した第８実施例の両面受光型太陽電池モジュールの設置構造を示す側断面図、（ｂ）その正断面図である。
【図８】（ａ）第９実施例の両面受光型太陽電池モジュールの設置構造における取付部材を配設していない一般部を示す側断面図、（ｂ）その要部を示す側断面図である。
【図９】折板屋根に、第９実施例の両面受光型の太陽電池モジュールを適用した設置構造を示す斜視図である。
【図１０】（ａ）第１０実施例の両面受光型太陽電池モジュールの設置構造を示す側断面図、（ｂ）第１１実施例の両面受光型太陽電池モジュールの設置構造を示す側断面図、（ｃ）第１２実施例の両面受光型太陽電池モジュールの設置構造を示す側断面図、（ｄ）第１３実施例の両面受光型太陽電池モジュールの設置構造を示す側断面図である。
【発明を実施するための形態】
【００１４】
本発明の両面受光型太陽電池モジュールの設置構造は、両面受光セルが存在する発電領域と、各両面受光セルの周囲、及び隣接する両面受光セル間の配設間隔に形成される透光領域とで両面受光型太陽電池モジュールを構成し、裏面側に太陽光を反射する反射材又は反射部を配設した構造である。
この構造により、通常の太陽電池モジュールの設置構造と同様に、表面側からの太陽光の照射により、発電領域の両面受光セルの表面側を発電させることができ、加えて、透光領域を透過させた太陽光を反射材又は反射部にて反射させて発電領域の裏面側から照射させて両面受光セルの裏面側を発電させることができる。
【００１５】
本発明に用いる両面受光型の太陽電池モジュールは、光透過性を有する基材に複数の両面受光セルを配置した構成であり、基材を構成する表面・裏面保護材（層）は、透光性を有するものであれば、透明でも半透明でもよく、透明又は半透明のガラスや樹脂の板材又はシート等で構成され、モジュールとしてのサイズや使用箇所等によって適宜に選定される。例えば基材として、表裏両面にガラスを保護材（層）として用いて複数の両面受光セルを挟み込む構成でもよいし、表面のみにガラスを表面保護材として用い、該表面保護材にて複数の両面受光セルの表面側を保護し、両面受光セルの裏面側には、エチレン酢ビ（ＥＶＡ）等の樹脂系シートを封止材として、更に透明保護層としてバックシートを配した構成などを採用することもできる。両面受光セルとしては、シリコン系、化合物系、有機系等の各種の両面受光セルを用いることができる。なお、モジュールとして周縁（小口）の止水、防水処理を施したものであればよく、モジュールの剛性を高めるためのフレーム等の有無を問うものではないが、モジュール表面を流下する雨水をせき止めないように少なくとも流れ方向に交わる方向にはフレーム等の突起がないものが好ましい。また、モジュールは、周辺機器の汎用性を高めるためにサイズを小さく（例えば半分程度に）した両面受光セルを用いるようにしてもよい。
そして、所定面積にて形成される両面受光セルを、両面受光セルは、隣接する両面受光セルが所定間隔で離間するように基材に配置され、言い換えれば、隣接する両面受光セル間の配設間隔に両面受光セルが存在しない透光領域が形成される構成であり、両面受光セルが存在する発電領域が透光領域にて略島状に分断されている。
本発明における発電領域の分断の状態、即ち両面受光セルの離間の状態は、両面受光セルの周辺全てが離間するものであっても、複数の両面受光セルを組み合わせた状態で離間させるものであってもよく、モジュールとして透光領域が得られるものであれば、両面受光セルの配置（配列）は問うものではない。要するに、想定される配列としては、（１）各両面受光セルがその周辺全てが離間している、（２）２枚、４枚の両面受光セルを近接させて１つのブロックとし、そのブロック間が離間している、（３）モジュールの長手方向又は短手方向は近接し、他方が離間している、状態等がある。
【００１６】
本発明に用いる反射材又は反射部は、前記両面受光型の太陽電池モジュールにおける透光領域を透過する太陽光を反射させて両面受光セルの裏面側へ太陽光を照射するものであって、その材質及び表面処理において、所謂鏡面に類するものよりも、むしろ乱反射（拡散反射）するものが好ましい。例えば全面に設けるものであっても部分的に設けるものであってもよい。材質等にあっても、鉄、ステンレス、アルミ等の鋼板や銅板、或いは表面処理鋼板や塩ビ等の被覆鋼板でもよく、板状、フィルム状であってもよい。また、硬質樹脂板や樹脂シート、アスファルト等の含浸シートであってもよい。上記反射材は、白、シルバー等に塗装されたものでも、反射性(光沢を含む)のトップコートを施したものであってもよく、表面に鏡面仕上げを施したもの、これらの態様を複数兼ねるものであってもよい。さらに、反射材又は反射部は、略平坦状のものであっても、後述する図示実施例のような角波状、円弧状であってもよい。また、新設・既設屋根上に両面受光型太陽電池モジュールを配設する場合、上述のような反射材又は反射部を別途に又は新規に用いるものであってもよいし、対象領域に相当する領域上に反射性能を有する塗料等を塗布して反射部を形成するものでもよい。
また、後述する横葺き式でも縦葺き式でも同様であるが、横桟又は縦桟の配設間隔に配する態様でも、例えばルーフィング（紙）を兼ねる下地材として敷設する態様でもよく、太陽光を反射する部分（面板部）についても、平坦状でも、連続（角）波状でもよい。なお、この反射材又は反射部を横桟又は縦桟の配設間隔に配する態様では、後述する図示実施例のように、端縁を立ち上げ、縦桟間又は横桟間に嵌め付けるもの、縦残又は横桟等に係止させてもよく、ビス等で固定するものであってもよい。
【００１７】
前記反射材又は反射部は、両面受光型モジュールの配設方法（敷設方法）、下地の構成によって相違するため、設置（形成を含む）対象、設置（形成を含む）方法の一例を以下に示す。
（１）両面受光型モジュールを屋根材として敷設する仕様（屋根材型）；
モジュール、桟部材及び関連部材によって屋根として雨仕舞を備えるため下層の構成は問わない。よって、躯体（下地）上にこの反射板又は反射部を設置するものでも、新設屋根、既存屋根上にこの反射材又は反射部を設置するものでもよい。
（２）設置対象が新設・既存屋根の仕様（屋根置型）；
新設・既存屋根は、金属、合成樹脂、窯業材料、セメント等の公知の材料によって構成される横葺、縦葺き、折板、瓦葺き、スレート葺、防水層（シート、塗布）等の公知の葺き形式によって構成されるものが対象となる。新設・既存屋根上に両面受光型太陽電池モジュールを配設する場合、新たに反射材を配設して本案の太陽電池モジュールを設置するもの（前記（１）との相違は、屋根材型とする必要がないため、桟部材、固定部材の構成が相違する）、新設屋根（材）自体を反射材又は反射部（層）として機能させるもの（材質や色等）、架設対象部分に反射機能を持たせるもの（塗料等）等でもよい。
なお、新設・既存屋根上に配設する場合、雨仕舞は、モジュールの裏面側にある屋根が負担することになるため、前記（１）のように屋根材としての機能を必ずしも必要としないため、桟部材等の構成が変わる（屋根材型に比べて簡略化も可能である）。
【００１８】
このように、本発明の設置構造は、前記構成の両面受光型太陽電池モジュールの裏面側に前記構成の反射材又は反射部を配設した構成であり、透光領域を透過させた太陽光を反射材又は反射部にて反射させて発電領域の裏面側に照射させることができる。
そのため、両面受光セルの表裏を効果的に発電に利用することができ、特に屋根面等の裏面側に太陽光を遮蔽するものが存在する場所でも支障なく、片面受光型セルを配した通常の太陽電池モジュールの設置面積と同じ設置面積で、より大きな発電量を期待できる。
【００１９】
そして、前記設置構造を横葺き式に適用するには、水下側、水上側の両面受光型太陽電池モジュールが載置可能な支持部を有する横桟が、所定間隔で配設され、少なくとも前記横桟間に反射材又は反射部が配設され、その上方を覆うように両面受光型太陽電池モジュールが配設されていればよい。
【００２０】
前述のように本発明の両面受光型太陽電池モジュールの設置構造の大きな特徴は、片側受光セルを配した通常の太陽電池モジュールの設置構造にも適用できることであるが、例えば特に特殊な部材（フレーム）の使用によるコスト上昇を招くことなく、モジュールの水下側端部を確実に且つ容易に一体状に固定することができることを目的として、後述する図示実施例のように、水下側、水上側のモジュールが載置可能な支持部を有する横桟（レール材）が、所定間隔で配設され、該横桟間にモジュールを敷設する設置構造において、前記横桟の水上側に敷設されるモジュールは、水下側端部が横桟上に載置され、その表面が横桟に添わせた取付部材にて保持され、前記取付部材は、横桟の長手方向に対して一定間隔で配置されると共に、保持具を介在させることで横桟と取付部材が一体化されている構造に、モジュールとして前記構成の両面受光型の太陽電池モジュールを用い、その裏面側には前記構成の反射材又は反射部を配するようにしてもよい。
即ち上述の一例は、本願出願人が既に提案した片面受光型の太陽電池モジュールの接続構造の一例に、前記本発明の両面受光型太陽電池モジュールの設置構造を適用したものであるが、このように前記本発明の設置構造は、本願出願人や本願出願人以外がこれまで提案した殆どの片面受光型の太陽電池モジュールを用いた横葺き形式の設置構造又は接続構造に容易に適用することができ、前述の効果を付加することができる。
【００２１】
また、前記設置構造を縦葺き式に適用するには、左側、右側の両面受光型太陽電池モジュールが載置可能な支持部を有する縦桟が、所定間隔で配設され、少なくとも前記縦桟間に反射材又は反射部が配設され、その上方を覆うように両面受光型太陽電池モジュールが配設されていればよい。
そして、前記横葺き式と同様に、例えば本願出願人等がこれまで提案した殆どの片面受光型の太陽電池モジュールを用いた縦葺き形式の設置構造又は接続構造において、太陽電池モジュールとして、本発明における縦長の両面受光型太陽電池モジュールを用いると共に、裏面側に反射材又は反射部を配設すればよく、前述の効果を付加することができる。
【実施例１】
【００２２】
図１（ａ），（ｂ）に示す本発明の第１実施例は、水下側、水上側の両面受光型太陽電池モジュール（以下、両面受光型モジュールという）１，１が載置可能な支持部４１，４２を有する横桟（レール材）４が、所定間隔で配設され、該横桟４，４間に反射材又は反射部（ここでは反射板）９が配設され、その上方を覆うように両面受光型モジュール１が配設されている構成であり、両面受光型モジュール１と横桟４および関連部材によって屋根としての機能を備える構造である。
【００２３】
この第１実施例に用いる両面受光型モジュール１は、光透過性を有する横長の基材１１であるガラス等の表面保護材にて、複数の略矩形状の両面受光セル１０の表裏を挟み込んで封止した構成であり、横方向に隣接する両面受光セル１０，１０が所定間隔を隔てて離間するように配設されている。
この両面受光型モジュール１は、外周部分、及び隣接する両面受光セル１０，１０間の配設間隔に、両面受光セルが存在しない透光領域１Ｂが形成される構成であり、両面受光セル１０が存在する発電領域１Ａが透光領域１Ｂにて略島状に分断されている構造ということができる。
【００２４】
この第１実施例に用いる反射材又は反射部（ここでは反射板）９は、予め下地材として敷設された白色系からなる鋼板であり、全面に金属を配しているので、加工が容易であるため、コストが低減されると共に、下地面上を金属で全面的に覆うため、防火性能にも優れる。
【００２５】
なお、第１実施例における前記両面受光型モジュール１及び前記反射材又は反射部９以外の構成を説明すると、流れ方向に所定間隔で配設される横桟４と、該横桟４の水下側端部に取り付けられる取付部材６Ａと、該取付部材６Ａと前記両面受光型モジュール１間に介在させる保持具６Ｃとからなり、保持具６Ｃの介在により、横桟４と取付部材６Ａ、及び両面受光型モジュール１が一体化される構成である。
【００２６】
前記横桟４は、前記両面受光型モジュール１の流れ方向の端縁を支持する水上側支持部４１、水下側支持部４２を有し、後述する取付部材６Ａを添わせる取付受部４９を有する構成である。
【００２７】
図示実施例の水上側支持部４１は、水上側を向く横片状であり、水下側支持部４２は、水下側に設けられた上方が開放する溝内に弾性材４６ａが挿着された構成である。
また、この横桟４は、水下側へ突出する支持片４３を有する構成であり、長さ方向に同一断面を有する長尺材とした。さらに、その水上側及び水下側に下方へ延在する脚部４４，４４、該脚部４４の下端に下地面８に接地する接地部４５，４５、及び長さ方向に溝状部４７，４８を上下段に有する構成とした。
なお、前記支持片４３の裏面側には、下方が開放する溝内に弾性材４６ｂが装着され、前記両面受光型モジュール１の水上側端縁を前記水下側支持部４２に受支させた際に、上方に配された弾性材４６ａ及び下方に配された弾性材４６ｂ間にそれぞれ接触するため、上下から挟み込まれ、弾性作用にて挟着状に取り付けられる。
また、前記支持片４３には、第２横桟４Ｂが掛止状に取り付けられ、該第２横桟４Ｂの水下端に、下方が開放する溝状の取付受部４９が形成されている。
【００２８】
前記取付部材６Ａは、前記横桟４の長手方向に対して一定間隔で配置され、両面受光型モジュール１の水下側端部の表面を保持する保持部６１を有し、前記横桟４の取付受部４９に添わせる、即ち取り付け可能な取付部６２を有する。
【００２９】
図示実施例の保持部６１は、両面受光型モジュール１の水下側端部の表面に添わせる添接片であり、略コ字状に形成される取付部材６Ａの上側横片である。また、取付部６２は、前記横桟４（４Ｂ）の取付受部４９に係合可能な上向きの係止片状であって、略コ字状に形成される取付部材６Ａの下側横片の先端に形成されている。
【００３０】
前記保持具６Ｃは、前記取付部材６Ａと前記両面受光型モジュール１との間に介在させることで、横桟４と取付部材６Ａ、及び両面受光型モジュール１が一体化されるものである。
図示実施例の保持具６Ｃは、弾性を有する定形（略楔状の挿入部を有する形状）材であって、この保持具６Ｃを前記取付部材６Ａの保持部６１の裏面側に押し込むように取り付けることにより、取付部材６Ａに持ち上げられる力（弾性力）が作用し、係止片である取付部６２が横桟４の取付受部４９に下方から係合し、一体的に固定される。
【００３１】
また、図示実施例では、前記横桟４の上端に、捨板２Ｂを、流れ方向に配して両面受光型モジュール１，１の左右の側端を支持するようにした。
この捨板２Ｂは、略中央に隆状部２２を、その左右に複数条の水返し部２３を、それぞれ長さ方向に沿うように有する構成であり、長さ方向に同一断面を有する定尺材とした。
【００３２】
また、図示実施例では、両面受光型モジュール１，１の左右の配設間隔に、継手カバー６Ｂを覆うように配設した。
この継手カバー６Ｂは、平板状の水下側を下方へ折り曲げた形状であり、ビス等の固定具６ｄを表面側から打ち込んで前記捨板２Ｂの隆状部２２の頂部に固定される。
【００３３】
以下、この第１実施例の両面受光型モジュール１の設置構造を施工する手順について説明する。
【００３４】
まず、第１の工程では、下地面全面に前記反射材９を敷設した。この反射材９は、前述のように白色系からなる鋼板であるから、全面に金属を配しているので、加工が容易であるため、コストが低減されると共に、下地面上を金属で全面的に覆うため、防火性能にも優れる。
【００３５】
その後、図示実施例では、流れ方向に沿うように排水部材２Ａを配設した。この排水部材２Ａは、略平坦状の底面２１の左右の側縁を傾斜状に立ち上げた側面の上端を略水平状に内側へ折曲して受部とした構成の連続材である。この排水部材２の底面２１は、排水部の底面であり、以下、排水部とする。
【００３６】
次に、第２の工程では、配設した排水部材２上に、前記構成の横桟４の端縁が臨むように略直交状に配設する。
なお、この横桟４は、配設以前に予めその脚部４４，４４を部分的に削除し、脚部４４，４４の上方部分が排水部材２の排水部２１に臨むように配設する。
【００３７】
その後、前記第２の工程で取り付けた横桟４の水下側支持部４２に捨板２Ｂの水上側の端縁を受支させると共に、水下側に隣接する横桟４の水上側支持部４１に捨板２Ｂの水下側の端縁を受支させるように取り付ける。
この横桟４には、前述のように水下側へ突出する支持片４３が設けられているので、捨板２Ｂの水上側の端縁を、支持片４３と水下側支持部４２との間（空間）に挿入状に取り付ければよく、また捨板２Ｂの水下側の端縁を、水上側支持部４１の上面と支持片４３の上面に架け渡すように取り付ける。なお、前述のようにこの横桟４は、本体４と第２横桟４Ｂにて構成されているが、この時点で第２横桟４Ｂは、支持片４３の表面に遊嵌状に添わせた状態とする。
【００３８】
続いて第３の工程では、前記第２の工程で取り付けた横桟４，４間に、両面受光型モジュール１を敷設する。詳しくは、上段側の横桟４の水下側支持部４２、下段側の横桟４の水上側支持部４１に、両面受光型モジュール１の水上側端部、水下側端部を載置するように支持させる。その際、前述のように捨板２Ｂを配設しているので、両面受光型モジュール１の長さ方向の端縁が支持されるように配設する。
この図示実施例では、前述のように横桟４に、弾性材４６ａ，４６ｂが取り付けられ、該弾性材４６ａ，４６ｂ間に両面受光型モジュール１の水上側端縁を取り付けるので、該水上側端縁は、上下から挟み込まれ、弾性作用にて挟着状に取り付けられる。
なお、前述のように横桟４の支持片４３の表面には、第２横桟４Ｂを添わせているが、両面受光型モジュール１の配設に際し、この第２横桟４Ｂ上にクッション材４ｃを介在させて両面受光型モジュール１を載置状に配設した。
【００３９】
その後、配設した両面受光型モジュール１の水下側端部に前記構成の取付部材６Ａを遊嵌状に添わせ、前記略楔状の挿入部を有する弾性材である保持具６Ｃを、表面側から、添接片である保持部６１の裏面側に挿入して介在させて横桟４と取付部材６Ａとを一体化させる。この保持具６Ｃの取り付けにより、保持部６１を上方へ持ち（引き）上げる作用が働き、保持部材６の下端に設けられた係止片状の取付部６２が、横桟４（第２横桟４Ｂ）の取付受部４９に下方から係合する。
その結果、両面受光型モジュール１の水下側端部が、横桟４と取付部材６Ａ、及び保持具６Ｃにより、一体的に固定されるものとなる。
【００４０】
その後、図示実施例では、前記第３の工程で取り付けた両面受光型モジュール１，１の左右の配設間隔に継手カバー６Ｂを覆うように配設した。この図示実施例では、捨板２Ｂに、前述のように略中央に隆状部２２が、その左右に水返し部２３が、それぞれ長さ方向に沿うように設けられているので、継手カバー６Ｂを配設してビス等の固定具６ｄを隆状部２２に打ち付けて固定することができる。
【００４１】
このような手順にて施工される本発明の両面受光型モジュール１の設置構造は、両面受光セル１０が存在する発電領域１Ａと、各両面受光セル１０の周囲、及び隣接する両面受光セル１０，１０間の配設間隔に形成される透光領域１Ｂと、で構成される両面受光型太陽電池モジュール１の裏面側に、反射材９を配設してなる構成であって、透光領域１Ｂを透過させた太陽光を、反射材９にて反射させて両面受光セル１０の裏面側に照射させることができる。そのため、両面受光セル１０の表裏を効果的に発電に利用することができ、特に屋根面等の裏面側に太陽光を遮蔽するものが存在する場所でも支障なく、片面受光型セルを配した通常の太陽電池モジュールの設置面積と同じ設置面積で、より大きな発電量を期待できる。
また、本発明の設置構造では、反射材９による太陽光の反射を利用するので、両面受光型モジュール１を湾曲状に加工する必要がなく、設置場所等も限定されることがなく、一般住宅等にも適用できる。
さらに、本発明の設置構造では、透光領域１Ｂは反射材９（又は反射部）へ太陽光を導くものであって、反射材９（又は反射部）の裏面側への太陽光の透過を遮断するので、太陽光の照射を望まない場合や室内が外部から覗かれるのを嫌うような場合にも適用できる。
【００４２】
また、この図示実施例の設置構造は、両面受光型モジュール１の水下側端部が、横桟４と取付部材６Ａ、及び保持具６Ｃにより、一体的に固定され、使用する横桟４も取付部材６Ａも保持具６Ｃも極めて簡易な部材であり、特殊なフレーム材を必要とすることもないため、コストを抑えることができる。しかも、カバー材を用いないので、モジュール１上を流下する雨水がせき止められることもないし、雨水に含まれる土や埃等が堆積することもなく、負圧作用時の強度向上と流れ方向のズレ止めを補強することができる。そのため、両面受光型モジュール１の表面を美麗に維持することができ、発電領域１Ａの発電効率等の性能低下を招くこともなく、透光領域１Ｂの透光効率の低下を招くこともない。また、両面受光型モジュール１を取付部材６Ａで横桟４に一体化させているため、取付部材６Ａを着脱することで、両面受光型モジュール１の交換を容易に行うことができる。
【００４３】
また、この図示実施例では、第１の工程の反射材９の敷設後に、流れ方向に排水部材２を取り付け、その後に横桟４の端縁が臨むように略直交状に配設したので、仮に雨水等が捨板２Ｂの裏面側へ回り込むことがあったとしても、排水部材２の排水部２１に導いて水下側へ流下させることができる。
さらに、前記横桟４及び前記捨板２Ｂは、前述のようにそれぞれ長さ方向に同一断面を有する構成としたので、使用する両面受光型モジュール１の流れ方向の長さ寸法に応じて横桟４の長さを適宜に成形（切断）することができ、使用する両面受光型モジュールの桁行き方向の長さ寸法に応じて捨板２Ｂを長さを適宜に成形（切断）することができ、どのような寸法の両面受光型モジュールも極めて容易に対応することができる。
しかも、図示実施例の横桟４には、上下段に溝状部４７，４８を設けたので、仮に両面受光型モジュール１の裏面側に雨水が回り込むことがあったとしても横桟４の溝状部４７，４８から排水部材２の排水部２１へ導いて水下側へ流下させることができる。
【００４４】
また、この図示実施例では、横桟４が、水下側へ突出する支持片４３を有し、この支持片４３上に両面受光型モジュール１の水下側縁（１１ｃ）を載置しているので、両面受光型モジュール１の表面を伝う雨水等が、確実に水下側に隣接する両面受光型モジュール１上に導かれて排水される。
さらに、前記第２の工程にて捨板２Ｂを取り付ける作業において、その水上側の端縁を、支持片４３と水下側支持部４２との間（空間）に挿入状に取り付ければよく、また水下側の端縁を、水上側支持部４１の上面と支持片４３の上面に架け渡すように取り付ければよいので、施工性にも優れており、更には少なくとも捨板２Ｂの水上側の側縁の浮き上がりが、支持片４３にて防止される。
また、この図示実施例では、捨板２Ｂの略中央に隆状部２２を、その左右に水返し部２３を、それぞれ長さ方向に沿うように設けたので、継手カバー６Ｂを固定する固定具６ｄを隆状部２２に打ち付けることができ、また継手カバー６Ｂの裏面側に雨水等が浸入しても水返し部３２にて確実に水下側へ雨水等を流下させることができる。
【００４５】
図２（ａ），（ｂ）に示す第２実施例は、用いた反射材９IIが前記第１実施例のように下地全面に敷設されるものではなく、横桟４，４間に配設される白色系からなる鋼板の加工品（成形体）であって、その水上側、水下側の端部を立ち上げて、隣接する横桟４，４の脚部４４，４４の下端に沿う起立部９１，９１を設けた構成である以外は、前記第１実施例と全く同様であるから、図面に同一符号を付して説明を省略する。なお、この成形体を反射材９IIとしたが、起立部９１，９１を除く平板状の反射部が主として反射に寄与する部分であるから、当該部分を反射部９IIとしてもよい。
この第２実施例では、反射材９IIが成形体であるため、第１実施例とは、施工手順が異なり、まず下地面８に排水部材２Ａ及び横桟４を配設する工程が第１の工程となり、その後の第２工程として反射材９IIを横桟４，４間に配設するが、それ以外の手順は前記第１実施例と全く同様である。この反射材９IIには、端部に起立部９１，９１を設けて脚部４４，４４に沿わせるようにしたので、配設後のズレを生じにくいが、前記第１実施例と同様に下地面８との間に接着剤（層）を介在させるようにしてもよい。
【００４６】
図３（ａ），（ｂ）には、更に異なる態様の反射材９III，９IVを用いた第３，第４実施例を示す。
図３（ａ）に示す第３実施例では、反射材９IIIが他の態様のように下地面８に沿っておらず、両面受光型モジュール１の裏面側に近接して臨むように配設されるものであり、その水上側、水下側の端部９２，９２を折り下げて、隣接する横桟４，４の水上側支持部４１及び水下側支持部４２に支持、係合させている。
図３（ｂ）に示す第４実施例では、反射材９IVの水上側、水下側の端部を立ち上げて、隣接する横桟４，４の脚部４４，４４の下端に沿う起立部９１，９１を設けた点では前記第２実施例（反射材９II）と同様であるが、その面板部分９３を略角波状に成形した構成である。
【００４７】
図４（ａ），（ｂ）に示す第５実施例、及び図５（ａ），（ｂ）に示す第６実施例は、モジュールの剛性を高めるためのフレーム材１２ａ，１２ｂを用いた両面受光型モジュール１'を用い、左側、右側の両面受光型モジュール１'，１'が載置可能な支持部３１，３１を有する縦桟３が、所定間隔で配設され、該縦桟３，３間に反射材９，９VIが配設され、その上方を覆うように両面受光型モジュール１'が配設されている構成である。
【００４８】
この第５、第６実施例に用いる両面受光型モジュール１'は、光透過性を有する基材１１'が縦長であり、縦方向に隣接する両面受光セル１０'，１０'が所定間隔を隔てて離間するように配設され、流れ方向の側縁に断面略コ字状のフレーム材１２ａ，１２ａを、左右方向の側縁に断面略コ字状のフレーム材１２ｂ。１２ｂを配した以外は、前記第１実施例に用いた両面受光型モジュール１と殆ど同様であり、外周部分、及び隣接する両面受光セル１０'，１０'間の配設間隔に、両面受光セルが存在しない透光領域１Ｂ'が形成される構成であって、両面受光セル１０'が存在する発電領域１Ａ'が透光領域１Ｂ'にて略島状に分断されている構造である。なお、両面受光セル１０'は、前記第１実施例に用いた両面受光型モジュール１における両面受光セル１０と寸法が異なるだけで、基本構成は同じである。
【００４９】
この第５実施例に用いる反射材９は、前記第１実施例に用いた反射材９と全く同様であり、下地面全面に敷設されている。また、第６実施例に用いる反射材９VIは、前記第２実施例に用いた反射材９IIと近似する構成であり、その左右の側端を立ち上げて、隣接する縦桟３，３（下部吊子３Ｂ，３Ｂ）の縦片部の側面下方に沿う起立部９４，９４を設けた構成である。
【００５０】
なお、第５、第６実施例における前記両面受光型モジュール１'及び前記反射材９，９VI以外の構成を説明すると、左右方向に所定間隔で配設される縦桟３は、ピース状の下部吊子３Ｂの上に、流れ方向に連続する本体３Ａ、及び排水部材（ドレンガイド）３Ｃ、が一体状に組み付けられた構成であり、左右方向に隣接する縦桟３，３間に反射材９VIが配設され（反射材９は予め敷設されている）、その上方を覆うように両面受光型モジュール１'が配設され、該両面受光型モジュール１'の左右の側縁を縦キャップ５Ａにて挟持している。なお、図中、５Ｂは、縦キャップ５Ａ，５Ａを接続する縦キャップ継手である。また、前記縦桟３の流れ方向の接続は、ジョイント捨板７Ａに横キャップ７Ｂを嵌め付けて接続している。
【００５１】
前記縦桟３は、前記両面受光型モジュール１'の左右方向の端縁を支持する支持部３１，３１を有し、仮にその左右の接続部分からの浸水があったとしても、或いは流れ方向の接続部分からの浸水があったとしても排水部材３Ｃの排水部３２にて流下させることができる構成である。
【００５２】
前記下部吊子３Ｂは、底面（固定部）に固定具３ｅを打ち込んで下地に固定するものであり、略中央に設けた隆状連結部３３に、上方から排水部材３Ｃの中央隆起部３４、及び本体３Ａを配した状態で固定具３ｆを打ち込んで一体的に固定する。また、縦桟本体３Ａには、支持部３１の下方に、上方から弾性的に嵌合させることができる受部３５が設けられ、該受部３５に支持材吊子３Ｄが取り付けられる。支持材吊子３Ｄは、上端に弾性材３６が固着され、該弾性材３６を介して両面受光型モジュール１'の裏面を支持している。
【００５３】
図６（ａ），（ｂ）に示す第７実施例及び図７（ａ），（ｂ）に示す第８実施例は、既存或いは新設の折板屋根に対し、本発明の両面受光型モジュール１"の設置構造を適用した構成であり、この第７、第８実施例に用いる両面受光型モジュール１"は、流れ方向の側縁に裏面側に中空の枠部１２１を備えるフレーム材１２ｃ，１２ｃを、左右方向の側縁に裏面側に中空の枠部１２２を備えるフレーム材１２ｄ，１２ｄを配し、前記第５，第６実施例の両面受光型モジュール１'よりも更にモジュールの剛性を高めたものである。
そして、これらの第７、第８実施例は、両面受光型モジュール１"を折板屋根上に設置する構造であるため、屋根としての機能は折板屋根が負担することとなり、両面受光型モジュール１"，１"同士の接続部分(隣接部分)等に雨仕舞を考慮する必要がなく、部材の簡略化を図ることができる構造となる。
【００５４】
この第７実施例に用いる反射材９VIIは、下地である折板屋根に沿っていない点で前記第３実施例の反射材９IIIと同じであるが、図６（ｂ）に示すように左右の側縁に設けた起立片９３，９３が、左右方向に隣接する支持材７Ｄ，７Ｄの側縁間に固定されている構成である。また、第８実施例に用いる反射部９０は、図中に破線で示す範囲の折板屋根の表面に、反射性の塗装を施した範囲を反射部９０とした構成である。
【００５５】
なお、第７、第８実施例における前記両面受光型モジュール１"及び前記反射材９VII及び反射部９０以外の構成、即ち折板屋根について簡単に説明すると、Ｉ鋼材である躯体８Ａの上に、山状部と谷状部とが交互に繰り返す略門状のタイトフレームである下側保持部材８Ｂが固定され、該下部保持部材８Ｂの各山状部分の頂部にそれぞれ上部保持部材８Ｃが固定されている。その左右方向に隣接する上部保持部材８Ｃ，８Ｃ間に、略平坦状の面板部の両端を傾斜状に立ち上げた外装材８Ｄを配設して保持させると共にその両端縁をカシメて固定している。その固定部分に、左右一対の持出架台７Ｃを取り付け、該持出架台７Ｃの上端フランジ部分に、支持材７Ｄをボルトナットで固定して前記構成の両面受光型モジュール１"の裏面を支持している。なお、前記持出架台７Ｃの上端フランジ部分には、予め取付ボルト７ｅが取り付けられ、該取付ボルト７ｅに略Ｕ字状の押さえ材７Ｅを挿通させてナット７ｆで固定するが、この押さえ材７Ｅの左右に形成した略フランジ状の押さえ部にて前記両面受光型モジュール１"の流れ方向の端縁を押さえて固定している。
【００５６】
図８及び図９に示す本発明の第９実施例は、両面受光型モジュール１0の水下側端部が横桟４IX上に載置され、その表面が横桟４IXに沿わせた取付部材６IXにて保持され、前記取付部材６IXは、横桟４IXの長手方向に対して一定間隔で配置すると共に、被覆部６３から横桟４IXに固定具６ｅを水下側上方から打ち込むことにより、横桟４IXと取付部材６IXが一体化されている構成である。
なお、図中に符号９IXで示す反射材は、波板状の下葺き材を兼ねるものであり、屋根としての防水性（雨仕舞い）を二重構造（下葺き材９IXによる防水と両面受光型モジュール１0による防水）としたものであって、排水部材を不要とした構成である。また、支持部材７Ｇは、波板状の反射板９IXの山部９Ｂの頂部に固定されている。
また、この第９実施例における両面受光型モジュール１0は、周辺機器の汎用性を高めるためにサイズを小さくした両面受光セル１０0を用いている。
【００５７】
前記横桟４IX（第２横桟４IXＢ）における符号４９"は、後述する取付部材６IXの被覆部６３から固定具６ｅを打ち込む被固定部を指す。この被固定部４９の表面には、後述する取付部材６IXを固定するための固定具６ｅの先端が当接する窪み４９１が設けられている。なお、この傾斜状の被固定部４９"の下端は、水上側へ折り返して（返し片４９２）略く字状に延在させている。
また、長さ方向に延在する符号４７"は、水上側支持部４１と水下側支持部４２との間に有する溝状部を指す。
さらに、水上側に位置する脚部４４を上方に延在させ、上方が開放する溝状空間である収容部４８"を形成し、該収容部４８"内に、両面受光型モジュール１0の裏面側に位置するケーブル１０１を収容し、その上方を覆い材４Ｃにて塞ぐようにした。
第２横桟４IXＢは、中央より水上側に隆起部を有し、該隆起部の上面には太陽電池モジュール１0の裏面を受支するクッション材４ｄが固着されている。
【００５８】
前記取付部材６IXは、前記横桟４IXの長手方向に対して一定間隔で配置されるものであって、両面受光型モジュール１0の水下側端部の表面を保持する保持部６１と、前記横桟４（第２横桟４IXＢ）の水下端部（被固定部４９）を覆う被覆部６３とからなり、被覆部６３から固定具６ｅを打ち込んで横桟４IXと一体化されるものである。
【００５９】
図示実施例の保持部６１は、両面受光型モジュール１0の水下側端部の表面に重合状に沿わせる片であり、略へ字状に形成される取付部材６IXの上側横片である。
また、被覆部６３は、前記横桟４IX（４IXＢ）の被固定部４９"の表面に重合状に沿わせる水下側下方へ傾斜片状であって、その表面に形成された窪み６３１に、固定具６ｅの先端を当接させて打ち込むことにより、横桟４IXと取付部材６IXが一体化される。なお、被覆部６３の下端を、水上側へ略く字状に折り返して（返し片６２２）延在させ、該返し片６３２を被固定部４９"の下端の返し片４９２に係合させている。
【００６０】
このような各部材にて施工される第９実施例では、両面受光型モジュール１0の水下側端部が、レール材４IXと取付部材６IXにより、一体的に固定されるものであり、使用するレール材４IXも取付部材６IXも極めて簡易な部材であり、コストを抑えることができる。
また、この第９実施例では、レール材４IXに収容部４８を設けて両面受光型モジュール１のケーブル１０１を収容するようにしたので、ケーブル１０１の絡まり等を防止するばかりでなく、太陽光を遮断する（モジュール面に影を形成する）ことを防止する役割をも果たす。
【００６１】
図１０（ａ）〜（ｄ）に示す第１０〜第１３実施例は、それぞれレール材４Ｘ〜４13が単一部材にて構成され、それぞれ取付部材６Ｘ〜６13の各保持部６１と太陽電池モジュール１の水下側端部の表面との間に厚み方向に弾性を有する保持具６Ｃを介在させて一体化させたものである。
なお、排水部材２及び排水部２１は、前記第２実施例と同様の長尺材である。また、反射材、反射部については、図中に符号９にて示す位置に、前記第１実施例と同様の反射板を配してもよいし、図示省略したが、第２〜９実施例にて説明した構成を用いるようにしてもよい。
【００６２】
図示実施例の保持具６Ｃは、ゴム弾性を有する定形（略楔状の挿入部を有する形状）材であって、この保持具６Ｃを前記取付部材６Ｘ〜６13の各保持部６１の裏面側に配設した状態で両面受光型モジュール１の水下側端部の表面に被せるように取り付け、この状態で上方又は水下側上方から固定具６ｅを打ち込んで取付部材６Ｘ〜６13を固定する。
【００６３】
図１０（ａ）の第１０実施例における取付部材６Ｘ及び図１０（ｂ）の第１１実施例における取付部材６11は、共に略Ｍ字状であって、略垂直状に固定具６ｅを打ち込んでレール材４Ｘ，４11に固定している。
両実施例の相違は、固定具６ｅを固定する略水平状の横片の長さが後者の方が僅かに長く、固定具６ｅの下端が弾性材６ｂの水下側に位置するか、水下側に位置するかの相違であって、仮に固定具６ｅを伝って雨水が取付部材６Ｘ，６Ｖの裏面側に浸入することがあったとしても、第１０実施例では専ら下段側の両面受光型モジュール１上に導いて水下側へ流下させることができ、第１１実施例では溝状部４７に導いて該溝状部４７から排水部材２の排水部２１へ導いて水下側へ流下させることができる。
なお、この第１０実施例及び第１１実施例におけるレール材４Ｘ，４11は、前述のように単一部材からなり、固定具６ｅを打ち込む前記第１実施例では被固定部４９に相当する部位が略水平片状である以外は、符号を付記しないが、収容部４８に相当する上方が開放する溝状空間も、両面受光型モジュール１の裏面を受支するクッション材４ｄも、両面受光型モジュール１の水上側端縁を挟着状に保持する弾性材４６ａ，４６ｂも備えている。
【００６４】
図１０（ｃ）の第１２実施例における取付部材６12及び図１０（ｄ）の第１３実施例における取付部材６13は、共に固定具６ｅを打ち込む部分６３'，６３"が傾斜状であり、該傾斜部分６３'，６３"を支持する被固定部４９'，４９"も傾斜状にレール材４12，４13に形成されているので、保持具６Ｃを圧縮するため、上方から圧縮する際にも傾斜部分６３'，６３"を被固定部４９'，４９"に当接させた状態で下方へずらせつつ打ち込み作業を行うことができるため、安定に適正位置に固定具６ｅを打ち込むことができる。
両実施例の相違は、第１３実施例の取付部材６13には、固定具６ｅの打ち込み部分６３"の直上に水上側へく字状に突出する突出部６４が設けられているため、傾斜部分６３"と被固定部４９"との接している距離が長く、より安定に適正位置に固定具６ｅを打ち込むことができる。
【００６５】
そして、これらの第１０〜第１３実施例では、厚み方向に弾性を有する保持具６Ｃを用いたので、仮に固定具６ｅの打ち込みに不備があった場合に容易に認識することができ、適宜に修繕を施すことができる。また、これらの第１０〜第１３実施例における保持具６Ｃは、がたつきの解消にも寄与するものとなる。さらに、保持具６Ｃを介在させて取付部材６Ｘ〜６13を配した状態では、取付部材６Ｘ〜６13は両面受光型モジュール１やレール材４Ｘ〜４13から浮いた状態であるため、固定具６ｅの打ち込みによりその浮きが解消されていくため、打ち込み作業の目安にもなる。
【符号の説明】
【００６６】
１，１'，１"  両面受光型（太陽電池）モジュール
１０，１０'  両面受光セル
１１，１１'  基材
１Ａ，１Ａ'  発電領域
１Ｂ，１Ｂ'  透光領域
２Ａ  排水部材
２１  排水部（底面）
２Ｂ  捨板
２２  隆起部
２３  水返し部
３  縦桟
４  横桟
４Ｂ  第２横桟
４１  水上側支持部
４２  水下側支持部
４３  支持片
４４  脚部
４５  接地部
４６ａ，４６ｂ  弾性材
４７，４７"，４８  溝状部
４８"  収容部
４９  取付受部
４９"  被固定部
６，６IX，６Ｘ，６Ａ  取付部材
６１  保持部
６２  取付部
６３  被覆部
６Ｂ  継手カバー
６Ｃ  保持具
６ｅ  固定具
８  下地面
９，９II〜９IV，９VI，９VII  反射材
９０  反射部
【図１】
0005938235.tif 000002
【図２】
0005938235.tif 000003
【図３】
0005938235.tif 000004
【図４】
0005938235.tif 000005
【図５】
0005938235.tif 000006
【図６】
0005938235.tif 000007
【図７】
0005938235.tif 000008
【図８】
0005938235.tif 000009
【図９】
0005938235.tif 000010
【図１０】
0005938235.tif 000011